(57)【要約】【課題】  監視制御盤に追加ユニットを増設する場合、監視制御盤が設けられている壁面に、取付用の穴を新たに設けずに、監視制御盤と一体的に追加ユニットを固定することができる火災報知設備のユニットを提供することを目的とするものである。【解決手段】  追加ユニット用筐体の所定の面に設けられている複数の穴であって、監視制御盤用筐体に設けられている複数の穴に対応している複数の対応穴と、配線を挿通する筒と筒の外周または内周に設けられているねじ部と筒の端部に設けられている鍔とねじ部と螺合するナットとを具備するケーブルグランドであって、複数の穴、複数の対応穴のそれぞれに配設されているケーブルグランドとを有し、ケーブルグランドを介して、追加ユニット用筐体が監視制御盤用筐体に固定され、また、ケーブルグランドを介して、監視制御盤内と追加ユニット内との間で配線されている火災報知設備のユニットである。【選択図】  図１
2005050271.tif 000002
【特許請求の範囲】
【請求項１】
防災設備の監視制御盤用筐体とは異なる筐体である追加ユニット用筐体と；
上記追加ユニット用筐体の所定の面に設けられている複数の穴であって、上記監視制御盤用筐体に設けられている複数の穴に対応している複数の対応穴と；
配線を挿通する筒と、上記筒の外周または内周に設けられているねじ部と、上記筒の端部に設けられている鍔と、上記ねじ部と螺合するナットとを具備するケーブルグランドであって、上記複数の穴、上記複数の対応穴のそれぞれに配設されているケーブルグランドと；
を有し、上記ケーブルグランドを介して、上記追加ユニット用筐体が上記監視制御盤用筐体に固定され、また、上記ケーブルグランドを介して、上記監視制御盤内と上記追加ユニット内との間で配線されていることを特徴とする火災報知設備のユニット。
【請求項２】
請求項１において、
上記監視制御盤内と上記追加ユニット内との間に配線されている電源線が挿通する穴と対応穴との組み合わせと、上記監視制御盤内と上記追加ユニットとの間に配線されている信号線が挿通する穴と対応穴との組み合わせとは、互いに異なることを特徴とする火災報知設備のユニット。
【請求項３】
請求項１において、
上記追加ユニット用筐体には、前傾式に開放されるドアが設けられていることを特徴とする火災報知設備のユニット。
【請求項４】
請求項１において、
上記追加ユニット用筐体は、上記監視制御盤の上面、下面、左側面、右側面のいずれかに設けられていることを特徴とする火災報知設備のユニット。
【請求項５】
請求項１または請求項４において、
上記追加ユニット用筐体の面に、稼動中を示す表示灯が設けられていることを特徴とする火災報知設備のユニット。
【請求項６】
防災設備の監視制御盤に機能を追加する追加ユニットであって、
防災設備の監視制御盤用筐体とは異なる筐体である追加ユニット用筐体と；
加圧することによって穴を設けることが可能であるノックアウトであって、上記監視制御盤用筐体とは異なる筐体である追加ユニット用筐体の所定の面に設けられているノックアウトと；
上記ノックアウトのうちの少なくとも１つのノックアウトが加圧されたことによって生じた穴であって、上記追加ユニット用筐体から上記監視制御盤への配線を通過させる穴と；
を有することを特徴とする火災報知設備のユニット。
【請求項７】
請求項６において、
上記追加ユニットから、無線通信するアンテナが引き出されていることを特徴とする火災報知設備のユニット。
【請求項８】
請求項７において、
上記監視制御盤内と上記追加ユニット内との間に配線されている電源線が挿通する穴と対応穴との組み合わせと、上記監視制御盤内と上記追加ユニットとの間に配線されている信号線が挿通する穴と対応穴との組み合わせと、上記アンテナが挿通する穴とは、互いに異なることを特徴とする火災報知設備のユニット。
【発明の詳細な説明】
【技術分野】
【０００１】
本発明は、火災報知設備のユニットに関する。
【背景技術】
【０００２】
顧客サポートシステムの一機能として、防災センタが顧客の防災設備（主に火災受信機）をリモート監視するリモート監視機能が考えられている。このリモート監視機能では、リモート監視ユニットを介して、顧客の防災設備と顧客サービスセンタとを、通信で接続し、遠隔監視を行い、異常時には早期に対応するための支援を行う。この２４時間常時遠隔監視によって、顧客の防災管理業務をバックアップすることができる。
【０００３】
ところで、火災受信機のような防災用の監視制御盤に、リモート監視を行う追加ユニットを増設する場合、１つの監視制御盤として筐体内に配置する（たとえば、特許文献１参照）ことができなければ、上下左右に複数の筐体を並設する（たとえば、特許文献２参照）しかない。
【０００４】
つまり、従来の火災報知設備において、監視制御盤に追加ユニットを増設する場合、監視制御盤が設けられている壁面に、追加ユニットを取り付ける穴を新たに設け、この穴に、追加ユニットの筐体を固定するためのボルトを螺合し、追加ユニットを壁面に固定する。
【特許文献１】実開平４−１０４３９５号公報
【特許文献２】実開平６−０６０２０９号公報
【発明の開示】
【発明が解決しようとする課題】
【０００５】
しかし、上記従来例では、監視制御盤に追加ユニットを増設する場合、監視制御盤が設けられている壁面に、追加ユニットを取り付ける穴を新たに設け、この穴に、追加ユニットの筐体を固定するためのボルトを螺合するので、壁面への穴あけ作業が煩雑であるという問題がある。
【０００６】
また、上記従来例では、監視制御盤から離れた位置に、追加ユニットを設置する場合、壁面に設けた穴に対応して、追加ユニットの筐体に穴を、電気ドリル等で開ける必要があり、追加ユニットの筐体に穴を開ける作業が煩雑であるという問題がある。
【０００７】
つまり、上記従来例では、監視制御盤とは別に、追加ユニットを単独で設置する場合、追加ユニットへの穴開け作業が煩雑であるという問題がある。
【０００８】
本発明は、監視制御盤に追加ユニットを増設する場合、監視制御盤が設けられている壁面に、取付用の穴を新たに設けずに、監視制御盤と一体的に追加ユニットを固定することができる火災報知設備のユニットを提供することを目的とするものである。
【０００９】
また、本発明は、監視制御盤とは別に、追加ユニットを単独で設置する場合、現場の状況に応じて追加ユニットの背面側または上下側のいずれかに配線を引き出すことが容易であり、現場に応じた対応ができる火災報知設備のユニットを提供することを目的とする。
【課題を解決するための手段】
【００１０】
本発明は、防災設備の監視制御盤用筐体とは異なる筐体である追加ユニット用筐体と、上記追加ユニット用筐体の所定の面に設けられている複数の穴であって、上記監視制御盤用筐体に設けられている複数の穴に対応している複数の対応穴と、配線を挿通する筒と上記筒の外周または内周に設けられているねじ部と上記筒の端部に設けられている鍔と上記ねじ部と螺合するナットとを具備するケーブルグランドであって、上記複数の穴、上記複数の対応穴のそれぞれに配設されているケーブルグランドとを有し、上記ケーブルグランドを介して、上記追加ユニット用筐体が上記監視制御盤用筐体に固定され、また、上記ケーブルグランドを介して、上記監視制御盤内と上記追加ユニット内との間で配線されている火災報知設備のユニットである。
【発明の効果】
【００１１】
請求項１〜５記載の発明によれば、監視制御盤に追加ユニットを増設する場合、監視制御盤が設けられている壁面に、取付用の穴を新たに設けずに、監視制御盤と一体的に追加ユニットを固定することができるという効果を奏する。
【００１２】
請求項６〜８記載の発明によれば、監視制御盤とは別に、追加ユニットを単独で設置する場合、現場の状況に応じて追加ユニットの背面側または上下側のいずれかに配線を引き出すことが容易であり、現場に応じた対応ができるという効果を奏する。
【発明を実施するための最良の形態】
【００１３】
発明を実施するための最良の形態は、次の実施例である。
【実施例１】
【００１４】
図１は、本発明の実施例１である火災報知設備の追加ユニット２０と監視制御盤１０とを有する火災報知設備ＦＡ１を示す斜視図である。
【００１５】
火災報知設備ＦＡ１は、監視制御盤１０と、追加ユニット２０と、図１には省略してあるケーブルグランド３０（図４〜図６参照）とを有する。
【００１６】
監視制御盤１０は、監視制御盤用筐体Ｃ１と、監視制御盤用筐体Ｃ１に収納されている監視制御用回路部品とによって構成されている。
【００１７】
監視制御盤用筐体Ｃ１は、右開きドアＤ１と、上面板Ｂ１１と、下面板Ｂ１２と、左側面板Ｂ１３と、右側面板Ｂ１４とを有する。
【００１８】
下面板Ｂ１２には、穴Ｈ１１、Ｈ１２が設けられている。この穴Ｈ１１、Ｈ１２は、ノックアウトに形成されていたものであり、このノックアウトをハンマー等で叩くことによって、穴を開けたものである。なお、上記「ノックアウト」は、環状に設けられている溝であり、上記環状溝の中央部を加圧することによって穴を設けることが可能であるように加工されたものである。
【００１９】
追加ユニット２０は、追加ユニット用筐体Ｃ２と、追加ユニット用筐体Ｃ２に収容されている回路部品によって構成されている。追加ユニット２０がリモート監視ユニットであれば、上記回路部品は、送信装置ＴＲ、電源ＰＷ、バッテリ（電池）ＢＴ、スイッチＳＷ等である。
【００２０】
追加ユニット用筐体Ｃ２は、前傾式に開放されるドアＤ２と、上面板Ｂ２１と、下面板Ｂ２２と、左側面板Ｂ２３と、右側面板Ｂ２４とを有する。
【００２１】
下面板Ｂ２２には、対応穴Ｈ２１、Ｈ２２が設けられている。これら対応穴Ｈ２１、Ｈ２２は、ノックアウトに形成されていたものであり、このノックアウトをハンマー等で叩くことによって、穴を開けたものである。
【００２２】
また、対応穴Ｈ２１は、監視制御盤用筐体Ｃ１の下面板Ｂ１２における穴Ｈ１１に対応し、対応穴Ｈ２２は、監視制御盤用筐体Ｃ１の下面板Ｂ１２における穴Ｈ１２に対応している。つまり、穴Ｈ１１の大きさと、対応穴Ｈ２１の大きさとはほぼ同じであり、穴Ｈ１２の大きさと、対応穴Ｈ２２の大きさとはほぼ同じであり、また、穴Ｈ１１とＨ１２との間隔と、対応穴Ｈ２１とＨ２２との間隔とがほぼ同じである。
【００２３】
左側面板Ｂ２３には、穴Ｈ２５が設けられ、穴Ｈ２５は、送信装置ＴＲとアンテナＡＴとを接続する信号線が通過する穴である。
【００２４】
なお、追加ユニット２０を、リモート監視ユニットとして使用することができ、リモート監視ユニットは、顧客の防災設備（監視制御盤１０）と、顧客サービスセンタとを、通信で接続し、遠隔監視するユニットであり、異常時には早期に対応するための支援を行うものである。
【００２５】
図２は、火災報知設備ＦＡ１において、監視制御盤１０と、追加ユニット２０とを具体的に示すブロック図である。
【００２６】
火災報知設備ＦＡ１は、監視制御盤（火災受信機）１０と、追加ユニット（リモート監視用インタフェース）２０と、アンテナＡＴと、ホスト機器２９とを有する。
【００２７】
監視制御盤１０は、複数の火災受信機ＲＥ１、ＲＥ２、……によって構成されている。
【００２８】
図３は、監視制御盤１０と追加ユニット２０とを使用した火災報知設備のリモート監視システムＲＭ１を示す図である。
【００２９】
火災報知設備のリモート監視システムＲＭ１は、火災報知設備ＦＡ１と、ネットワークＮＷと、顧客サービスセンタＳＣとによって構成されている。
【００３０】
ネットワークＮＷは、携帯電話を利用したデータ通信網である。
【００３１】
顧客サービスセンタＳＣは、ルータＲＴと、リモート監視サーバＳＶ１と、顧客サポートＤＢサーバＳＶ２と、リモートメンテクライアントＭＣ１と、これらをローカルエリアネットワークで結合するＬＡＮとを具備する。
【００３２】
送信装置ＴＲは、ネットワークＮＷに接続する電話端末であり、ネットワークＮＷとの間で無線接続してデータ送信する。そして、送信装置ＴＲが送信すべき火災報知設備ＦＡ１のデータを、追加ユニット２０が作成する。なお、図２に示すように、送信装置ＴＲは追加ユニット２０に含まれているが、送信装置ＴＲがネットワークＮＷとの間で無線送信することを強調するために、図３においては、送信装置ＴＲが追加ユニット２０とは別に記載されている。
【００３３】
ここで、図２に戻り、追加ユニット２０は、制御手段（ＣＰＵ）２１と、移報信号受信手段２２と、選択スイッチ２３と、遮断スイッチ２４と、表示灯２５と、ホスト移報Ｉ／Ｆ２６と、送信装置Ｉ／Ｆ２７と、ＡＣアダプタ２８と、電源回路ＰＷと、電池ＢＴと、送信装置ＴＲとを有する。
【００３４】
制御手段２１は、移報信号受信手段２２に移報信号が入力されると、上記移報信号を取り込み、データ化し、出力する手段である。
【００３５】
移報信号受信手段２２は、受信機Ｉ／Ｆ２２ａと、Ｉ／Ｏ回路２２ｂとを有し、火災受信機ＲＥ１、ＲＥ２、……からの移報信号を受信する手段である。
【００３６】
受信機Ｉ／Ｆ２２ａは、データによって移報出力することができる火災受信機ＲＥ１が接続されるＲＳ４２２Ａのインタフェースである。
【００３７】
Ｉ／Ｏ回路２２ｂは、火災受信機ＲＥ２のオン、オフを知らせる信号である接点信号を受信する回路であり、接点による移報出力を受信する受信回路であり、その他、追加ユニット２０内の各種スイッチの状態が入力されるとともに、各種表示灯の制御出力を行う出力回路を兼ねている。
【００３８】
制御手段（ＣＰＵ）２１は、主に、受信機Ｉ／Ｆ２２ａまたはＩ／Ｏ回路２２ｂを介して移報信号の入力があると、移報された情報をパケットデータ化し、送信装置ＴＲを介して、サーバＳＶ１に送信する。また、制御手段２１は、遮断スイッチ２４がオンされているときに、移報信号受信手段２２から移報信号を受信する手段である。さらに、制御手段２１は、送信装置ＴＲが送信するデータを遮断する手段であり、このとき制御手段２１は受信した移報信号を破棄する。
【００３９】
また、制御手段２１は、電源回路ＰＷの電源電圧を監視し、この電源電圧が所定の電圧よりも低下すると、送信装置ＴＲを介して、上記電源電圧が所定の電圧よりも低下したことを示す電源低下信号を、サーバＳＶ１に送信し、その後に、制御手段２１の動作を停止する手段である。
【００４０】
送信装置ＴＲは、ネットワークＮＷの端末であり、ＲＳ２３２Ｃのインタフェースを介して、追加ユニット２０の送信装置Ｉ／Ｆ２７と接続されている。また、送信装置ＴＲは、制御手段２１が出力したデータを、ネットワークＮＷを介して、サーバＳＶ１に送信する送信手段の例である。
【００４１】
ホスト移報Ｉ／Ｆ２６は、追加ユニット２０が受信しているデータを確認するホスト機器２９を、必要に応じて接続可能にするためのＲＳ４２２Ａインタフェースである。たとえば、移報信号受信手段２２を介して、火災受信機ＲＥ１側からの信号を制御手段２１が認識していることを確認することができ、送信装置ＴＲを遮断しながら、確認することができる。
【００４２】
電源回路ＰＷは、非常用に電池ＢＴを備え、送信装置ＴＲとともに、追加ユニット２０の全体に電源を供給するものであり、電源電圧が制御手段２１によって監視されている。
【００４３】
表示灯２５は、複数のＬＥＤで構成され、詳細には示さないが、電源灯と、火災受信機ＲＥ１、ＲＥ２、……側と送信装置ＴＲ側との双方の通信状態を示す通信灯と、通信の遮断状態を示す遮断灯との４つが設けられている。
【００４４】
選択スイッチ２３は、受信機Ｉ／Ｆ２２ａに接続されている火災受信機ＲＥ１の形式を、複数種類の中から１つの種類を選択するように設定するスイッチであり、ディップスイッチ等で構成されている。
【００４５】
遮断スイッチ２４は、送信装置ＴＲからネットワークＮＷへの送信を遮断する場合に、オンするスイッチであり、具体的には、送信装置Ｉ／Ｆ２７が送信装置ＴＲへ送るべき送信装置Ｉ／Ｆ２７の出力信号を遮断するスイッチである。この遮断スイッチ２４によって信号を遮断する場合は、火災報知設備の動作を確認するための試験を行っているときに火災信号等を遮断する場合である。
【００４６】
なお、火災受信機ＲＥ１、ＲＥ２、……から受信する移報信号について、簡単に説明する。端末情報として、火災信号、端末機器作動信号、伝送異常信号等、受信機状態情報として、復旧信号、プリンタ停止信号、音響停止信号、試験異常信号等、その他、トレンド情報、時刻情報等、火災報知設備に関する各種状態の変化が移報され、また、サーバＳＶ１からの要求によって各種の状態を取り込むことができる。
【００４７】
図４は、上記実施例において、監視制御盤１０と、追加ユニット２０とを接続するケーブルグランド３０を示す正面図である。
【００４８】
図５は、上記実施例において、ケーブルグランド３０を、ナット３４と、ナット３４と螺合する部材（筒３１、ねじ部３２、鍔３３）とに分解した状態を示す正面図である。
【００４９】
ケーブルグランド３０は、筒３１と、ねじ部３２と、鍔３３と、ナット３４とを有し、穴Ｈ１１、Ｈ１２と、対応穴Ｈ２１、Ｈ２２とに、筒３１、ねじ部３２が挿通され、監視制御盤１０に追加ユニット２０を接合するものである。
【００５０】
筒３１は、配線を挿通する筒である。ねじ部３２は、筒３１の外周に設けられているねじ山部分である。鍔３３は、筒３１の端部に固定され、追加ユニット２０の上面板Ｂ２１を押さえる部分である。ナット３４は、ねじ部３２と螺合し、また、監視制御盤１０の下面板Ｂ１２を押さえるナットである。
【００５１】
また、追加ユニット用筐体Ｃ２の面に、稼動中を示す表示灯（図示しないが図２の表示灯２５の一部）が設けられている。
【００５２】
さらに、追加ユニット２０の左側面板Ｂ２３に穴Ｈ２５が設けられ、この穴Ｈ２５を介して、無線通信するアンテナＡＴが引き出されている。
【００５３】
次に、上記実施例の動作について説明する。
【００５４】
まず、図示しない壁に穴が開けられ、監視制御盤用筐体Ｃ１が、図示しないボルトと上記穴とを介して、建造物の壁に固定されているとする。そして、監視制御盤用筐体Ｃ１の下面板Ｂ１２の穴Ｈ１１、Ｈ１２の位置に設けられているノックアウトの中央部をハンマー等で叩くと、ノックアウトを構成している溝の部分に亀裂が生じ、穴Ｈ１１、Ｈ１２が形成される。これと同様に、追加ユニット用筐体Ｃ２の上面板Ｂ２１の対応穴Ｈ２１、Ｈ２２の位置に設けられているノックアウトの中央部をハンマー等で叩くと、ノックアウトを構成している溝の部分に亀裂が生じ、対応穴Ｈ２１、Ｈ２２が形成される。
【００５５】
ここで、対応穴Ｈ２１を穴Ｈ１１に位置合わせすると、対応穴Ｈ２２を穴Ｈ１２に位置合わせすることができる。つまり、穴Ｈ１１とＨ１２との間隔と、対応穴Ｈ２１とＨ２２との間隔が同じになるように穴位置が設定されている。また、穴Ｈ１１、Ｈ１２の直径と、対応穴Ｈ２１、Ｈ２２の直径とは、筒３１のねじ部３２の外形よりもやや短く、設定されている。つまり、穴Ｈ１１、Ｈ１２、対応穴Ｈ２１、Ｈ２２のいずれも、ねじ部３２を挿通することができるが、鍔３３、ナット３４が通過できない程度に、寸法が設定されていればよく、その範囲で大きくしても構わない。
【００５６】
そして、穴Ｈ１１に対応穴Ｈ２１を付き合わせた状態で、追加ユニット用筐体Ｃ２の上面板Ｂ２１の下から、ねじ部３２を挿通し、これによって、監視制御盤用筐体Ｃ１の下面板Ｂ１２からねじ部３２が突出し、この突出したねじ部３２に、ナット３４を螺合し、ナット３４が下面板Ｂ１２を締め付ける。
【００５７】
これと同様に、穴Ｈ１２に対応穴Ｈ２２を付き合わせた状態で、追加ユニット用筐体Ｃ２の上面板Ｂ２１の下から、別のねじ部３２を挿通し、これによって、監視制御盤用筐体Ｃ１の下面板Ｂ１２からねじ部３２が突出し、この突出したねじ部３２に、別のナット３４を螺合し、このナット３４が下面板Ｂ１２を締め付ける。
【００５８】
図６は、上記実施例において、ケーブルグランド３０を介して、監視制御盤１０と追加ユニット２０とが接続されている状態を示す正面図である。
【００５９】
これによって、図６に示すように、上面板Ｂ２１と下面板Ｂ１２とが締め付けられ、つまり、監視制御盤１０に、追加ユニット２０が固定される。しかも、追加ユニット２０を監視制御盤１０に固定する場合、追加ユニット２０を壁に打ち付ける必要がない。
【００６０】
その後、監視制御盤用筐体Ｃ１の下面板Ｂ１２と追加ユニット用筐体Ｃ２の上面板Ｂ２１とを締め付けている筒３１、鍔３３、ナット３４の中空部（穴Ｈ１１、対応穴Ｈ２１）を介して、信号線を挿通する。また、監視制御盤用筐体Ｃ１の下面板Ｂ１２と追加ユニット用筐体Ｃ２の上面板Ｂ２１とを締め付けている筒３１、鍔３３、ナット３４の中空部（穴Ｈ１２、対応穴Ｈ２２）を介して、電源線を挿通し、電源線を信号線から離して設置すことができる。
【００６１】
つまり、監視制御盤１０内と追加ユニット２０内との間に配線されている電源線が挿通する穴と対応穴との組み合わせと、監視制御盤１０内と追加ユニット２０との間に配線されている信号線が挿通する穴と対応穴との組み合わせとは、互いに異なる。
【００６２】
上記実施例によれば、監視制御盤１０に追加ユニット２０を増設する場合、監視制御盤１０が設けられている壁面に、取付用の穴を新たに設けずに、監視制御盤１０と一体的に追加ユニットを固定することができる。
【００６３】
上記実施例において、ねじ部３２は、筒３１の外周にねじが設けられているが、筒３１の内周にねじを設けるようにしてもよい。この場合、ナット３４の代わりに、外周にねじが設けられている筒（雄ねじの筒）を使用する。
【００６４】
つまり、上記実施例は、防災設備の監視制御盤用筐体とは異なる筐体である追加ユニット用筐体と、上記追加ユニット用筐体の所定の面に設けられている複数の穴であって、上記監視制御盤用筐体に設けられている複数の穴に対応している複数の対応穴と、配線を挿通する筒と、上記筒の外周または内周に設けられているねじ部と、上記筒の端部に設けられている鍔と、上記ねじ部と螺合するナットとを具備するケーブルグランドであって、上記複数の穴、上記複数の対応穴のそれぞれに配設されているケーブルグランドとを有し、上記ケーブルグランドを介して、上記追加ユニット用筐体が上記監視制御盤用筐体に固定され、また、上記ケーブルグランドを介して、上記監視制御盤１０内と上記追加ユニット内との間で配線されている火災報知設備のユニットの例である。
【００６５】
また、上記実施例において、追加ユニット用筐体Ｃ２は、監視制御盤１０の下面に固定されるが、上記と同様の固定方法によって、監視制御盤１０の上面、左側面、右側面のいずれかに、追加ユニット用筐体Ｃ２を固定するようにしてもよい。
【００６６】
なお、上記実施例において、電源線、信号線、アンテナが挿通される穴は互いに異なる。つまり、上記監視制御盤１０内と上記追加ユニット内との間に配線されている電源線が挿通する穴と対応穴との組み合わせと、上記監視制御盤１０内と上記追加ユニットとの間に配線されている信号線が挿通する穴と対応穴との組み合わせと、上記アンテナが挿通する穴とは、互いに異なる。
【００６７】
上記実施例では、鍔３３が、追加ユニット２０の上面板Ｂ２１を押さえ、ナット３４が、監視制御盤１０の下面板Ｂ１２を押さえているが、この逆でもよい。つまり、鍔３３が、監視制御盤１０の下面板Ｂ１２を押さえ、ナット３４が、追加ユニット２０の上面板Ｂ２１を押さえるようにしてもよい。
【００６８】
上記実施例によれば、複数のケーブルグランドによって、追加ユニットを安定的に固定することができ、しかも、電源線と信号線とは、互いに異なる位置に設けられている穴を挿通するので、強電線の影響を弱電線が受けることを防止することができる。
【００６９】
また、上記実施例において、２つの対応穴Ｈ２１、Ｈ２２とケーブルグランド３０とによって、追加ユニット２０を監視制御盤１０に固定しているが、追加ユニット２０の大きさや重量に応じて、穴を増やし、さらに多数のケーブルグランド３０を用いて固定するようにしてもよい。なお、ケーブルグランド３０は、取付の便宜のため、対応穴Ｈ２１、Ｈ２２に、筒３１とねじ部３２とを予め挿入し、鍔３３を上面板Ｂ２１に当て、固定しておいてもよい。
【００７０】
さらに、上記実施例によれば、追加ユニット２０のドアＤ２と監視制御盤１０のドアＤ１とが別体であるので、追加ユニットのドアＤ２を前傾させて開放したときに、監視制御盤１０のドアＤ１を開放する動作の邪魔にならない。
【００７１】
そして、上記実施例によれば、電源線と、信号線と、アンテナとは、互いに異なる位置に設けられている穴を通過するので、強電線の影響を弱電線が受けることを防止することができる。
【００７２】
また、上記実施例によれば、表示灯２５を設けたので、追加ユニット２０の筐体内の基板等を見なくても、増設された追加ユニットの稼動状況を、追加ユニット２０の外から、一目で把握することができ、防災センタの監視員のような機器の専門家でなくても、追加ユニット２０の稼動状況を理解することができる。これによって、サポートセンタと電話連絡している場合にも、現場の作業員が追加ユニット２０の状況を確認して、サポートセンタへ回答することができる。
【実施例２】
【００７３】
図７は、本発明の実施例２である追加ユニット２０ａを示す斜視図である。
【００７４】
追加ユニット２０ａは、防災設備の監視制御盤１０に機能を追加する追加ユニットであって、筐体Ｃ１とは別の異なる筐体であり、ノックアウトＨ４１、Ｈ４２、Ｈ４３、Ｈ４４、Ｈ４５、Ｈ４６が設けられている。
【００７５】
ノックアウトＨ４１、Ｈ４２、Ｈ４３、Ｈ４４、Ｈ４５、Ｈ４６は、環状に溝が設けられ、加圧することによって穴を設けることが可能であるノックアウトであり、実施例１の追加ユニット用筐体Ｃ２の所定の面に設けられているノックアウトと同種である。そして、ノックアウトＨ４１、Ｈ４２、Ｈ４３、Ｈ４４、Ｈ４５、Ｈ４６のうちの少なくとも１つのノックアウトが加圧されたことによって生じた穴であって、追加ユニット用筐体Ｃ４から上記監視制御盤１０への配線を通過させる穴である。図７において、ノックアウトＨ４１、Ｈ４２を開口し、必要な配線を通すことができるように示してある。
【００７６】
また、筐体Ｃ４の前面となる右開きドアＤ４の面に、稼動中を示す表示灯（図示しないが図２の表示灯２５の一部）が設けられている。
【００７７】
そして、追加ユニット２０ａによれば、無線通信を行うためのアンテナＡＴが、追加ユニット２０ａから引き出されるので、監視制御盤１０が設けられている位置が無線に適していなくても、追加ユニット２０ａを無線送受信に適した遠い場所に設置し、両者を長いケーブルを介して、監視制御盤１０と接続することによって、安定的に無線通信することができる。このために、監視制御盤１０が設けられる防災センタが、地下に設置される場合でも、追加ユニット２０ａを地上部近辺に設置することによって、確実に無線通信することができる。
【００７８】
また、追加ユニット２０ａにおいて、上面板Ｂ４１、背面板Ｂ４５、下面板Ｂ４２のそれぞれにノックアウトが２つ設けられているので、監視制御盤１０内と上記追加ユニット２０ａ内との間に配線されている電源線が挿通するノックアウトによる穴と、監視制御盤１０内と追加ユニット２０ａとの間に配線されている信号線およびアンテナＡＴが挿通するノックアウトによる穴とは、互いに異なる。
【００７９】
このように、電源線と、信号線と、アンテナとは、互いに異なる場所を通すので、弱電線への強電線の影響を防止することができる。
【００８０】
上記実施例によれば、ノックアウトが、背面側と上下側とに設けられているが、この他に、左側面板Ｂ４３、右側面板Ｂ４４にノックアウトを設けるようにしてもよく、また、内部の構成に応じて、可能な面を選択し、ノックアウトを設ければよい。
【００８１】
さらに、上記実施例によれば、追加ユニット２０ａを単独で設置する場合、現場の状況に応じて、追加ユニット２０ａの背面側または上下側のいずれかに、予めノックアウトを設けておけば、そのノックアウトを叩くことによって、容易に穴を開けることができ、この開けられた穴から、配線を引き出すことができ、現場に応じて容易に対応することができる。
【００８２】
なお、上記実施例において、加圧することによって穴を設けることが可能であるノックアウトとして、環状に溝を設ける構成を示してあるが、環状の溝以外に、環状のミシン目、予め開けた穴にシール部材を設けたもの等、容易に開口できる構造は、上記ノックアウトに含まれる。
【図面の簡単な説明】
【００８３】
【図１】図１は、本発明の実施例１である火災報知設備の追加ユニット２０と監視制御盤１０とを有する火災報知設備ＦＡ１を示す斜視図である。
【図２】火災報知設備ＦＡ１において、監視制御盤１０と、追加ユニット２０とを具体的に示すブロック図である。
【図３】監視制御盤１０と追加ユニット２０とを使用した火災報知設備のリモート監視システムＲＭ１を示す図である。
【図４】上記実施例において、監視制御盤１０と、追加ユニット２０とを接続するケーブルグランド３０を示す正面図である。
【図５】上記実施例においてケーブルグランド３０を、ナット３４と、ナット３４と螺合する部材（筒３１、ねじ部３２、鍔３３）とに分解した状態を示す正面図である。
【図６】上記実施例において、ケーブルグランド３０を介して、監視制御盤１０と追加ユニット２０とが接続されている状態を示す正面図である。
【図７】本発明の実施例２である追加ユニット２０ａを示す斜視図である。
【符号の説明】
【００８４】
ＦＡ１…火災報知設備、
１０…監視制御盤、
Ｃ１…監視制御盤用筐体、
Ｂ１１…上面板、
Ｂ１２…下面板、
Ｂ１３…左側面板、
Ｂ１４…右側面板、
Ｈ１１、Ｈ１２…穴、
２０、２０ａ…追加ユニット、
Ｃ２、Ｃ４…追加ユニット用筐体、
Ｂ２１、Ｂ４１…上面板、
Ｂ２２、Ｂ４２…下面板、
Ｂ２３、Ｂ４３…左側面板、
Ｂ２４、Ｂ４４…右側面板、
Ｈ２１、Ｈ２２…対応穴、
３０…ケーブルグランド、
３１…筒、
３２…ねじ部、
３３…鍔、
３４…ナット、
Ｈ４１、Ｈ４２、Ｈ４３、Ｈ４４、Ｈ４５、Ｈ４６…ノックアウト。
【図１】
2005050271.tif 000003
【図２】
2005050271.tif 000004
【図３】
2005050271.tif 000005
【図４】
2005050271.tif 000006
【図５】
2005050271.tif 000007
【図６】
2005050271.tif 000008
【図７】
2005050271.tif 000009